(57)【要約】【課題】  便器本体の前部に位置する便器本体の開口縁部の上面と便座との間の隙間から小水が便器本体外へ放出されるのを未然に防止できるとともに、便座を含む小水放出防止部材の掃除を容易にした洋式便器を提供する。【解決手段】  便器本体１１と、便器本体１１の後端部上面箇所に上下方向に揺動可能に支持された便座１２と、便器本体１１の後端部上面箇所に上下方向に開閉可能に支持された蓋１３とを備え、便座１２の揺動端部１２ａの内側縁部１２ｂに、この内側縁部１２ｂから便器本体１１の開口１１１内に臨む長さＬ１の小水遮断板１４を内側縁部１２ｂに沿って予め定められた範囲に亘り延在するように設けた。【選択図】  図２
2008161298.tif 000002
【特許請求の範囲】
【請求項１】
上方に向け開放する開口及び該開口を囲むように形成された一定幅の載置用縁部を有する便器本体と、前記載置用縁部の平面形状に相似な枠状を呈するとともに前記便器本体の後端部上面箇所に上下方向に揺動可能に支持され、かつ前記載置用縁部の上面に載置される便座と、前記便器本体の後端部上面箇所に上下方向に開閉可能に支持され、かつ前記便座が前記載置用縁部の上面に載置された状態で該便座を介して前記開口を閉鎖する蓋とを備える洋式便器において、
前記便座本体の前端に対応する前記便座の揺動端部の内側縁部に該縁部から前記開口内に臨む長さの小水遮断板を前記内側縁部に沿って予め定められた範囲に亘り延在するように設けたことを特徴とする洋式便器。
【請求項２】
前記小水遮断板は前記内側縁部に２色射出成形法により一体に形成されることを特徴とする請求項１記載の洋式便器。
【請求項３】
前記小水遮断板はエラストマーその他の可撓性樹脂材から成形されていることを特徴とする請求項１または２記載の洋式便器。
【請求項４】
前記小水遮断板と前記内側縁部との互いの接合部は互いに噛み合う凹凸形状を呈していることを特徴とする請求項１または２記載の洋式便器。
【請求項５】
前記小水遮断板の前記開口内に臨む長さは、前記載置用縁部と前記便座との間に形成される隙間の寸法より大きい寸法を有することを特徴とする請求項１または２記載の洋式便器。
【発明の詳細な説明】
【技術分野】
【０００１】
本発明は、洋式便器に関し、さらに詳しくは、便座上にお尻を載せて座式状態で用便をする時に小水が便器本体の開口縁部の上面と便座との間の隙間から便器本体外へ放出されるのを防止できるようにした洋式便器の改良に関するものである。
【背景技術】
【０００２】
生活様式の洋風化に伴い洋式の便器が普及している。これは、便器に腰を掛けて用便が可能であるため、用便を足す者に無理な力を掛けることなく自然でかつ楽な姿勢を維持できからである。
この種の洋式便器は、一般的に便器本体と、便器本体に上下方向に揺動可能に支持され、便器本体の開口縁部上に載置される便座と、便器本体に開閉可能に支持され、便座が便器本体の開口縁部上に載置された状態で便座の上面から便器本体の開口を閉鎖する蓋とから構成されている。
【０００３】
また、このような便器においては、便座の左右内側部に飛散防止板が設けられており、この飛散防止板は便器の不使用時及び便器を座式として使用する時に便器本体の封止用溜り水に浸漬され、そして、便器を小水時の立ち式として使用する時は、飛散防止板は便座と共にはねあげられ、便器本体内の左右両側に位置して便器本体から上方に鉛直に延びる飛散防止壁を形成し、これにより、放出された小水が便器本体内の封止用溜り水の表面に衝突して飛散する飛散汚水または便器本体の開口縁部に小水がかかったり、小水の一部が便器本体の外側へ飛散するのを防止するようにしている（例えば特許文献１参照）。
【特許文献１】特開２００１−４０７３０号公報
【発明の開示】
【発明が解決しようとする課題】
【０００４】
しかしながら、上記のような従来の洋式便器における飛散防止板は、便器の不使用時及び便器を座式として使用する時に便器本体の封止用溜り水に浸漬されるため、溜り水中に溶け出した便または溜り水に混合された小水を含む混合汚物が飛散防止板に付着し、飛散防止板を汚損してしまうほか、便座の掃除も面倒で簡単にできない。また、混合汚物が付着したままの飛散防止板がはねあげられることより、その一部が大気中に晒された場合には臭気発生の要因となる問題がある。
また、従来の洋式便器においては、便器本体の前部に位置する便器本体の開口縁部の上面と便座との間に隙間が生じているため、特に男性が便器を座式として使用する時、小水の一部が前記隙間から便器本体外へ放出され、便座を含む便器本体及び便器の設置床面などを汚損してしまうという問題があった。
【０００５】
本発明は上記のような従来の問題点を解決するためになされたもので、便器本体の前部に位置する便器本体の開口縁部の上面と便座との間の隙間から小水が便器本体外へ放出されるのを未然に防止できるとともに、便座を含む小水放出防止部材の掃除を容易にした洋式便器を提供することを目的とする。
【課題を解決するための手段】
【０００６】
上記の目的を達成するために本発明は、上方に向け開放する開口及び該開口を囲むように形成された一定幅の載置用縁部を有する便器本体と、前記載置用縁部の平面形状に相似な枠状を呈するとともに前記便器本体の後端部上面箇所に上下方向に揺動可能に支持され、かつ前記載置用縁部の上面に載置される便座と、前記便器本体の後端部上面箇所に上下方向に開閉可能に支持され、かつ前記便座が前記載置用縁部の上面に載置された状態で該便座を介して前記開口を閉鎖する蓋とを備える洋式便器において、前記便座本体の前端に対応する前記便座の揺動端部の内側縁部に該縁部から前記開口内に臨む長さの小水遮断板を前記内側縁部に沿って予め定められた範囲に亘り延在するように設けたことを特徴とする。
【発明の効果】
【０００７】
本発明の洋式便器によれば、便座揺動端部の内側縁部に該縁部から便器本体の開口内に臨む長さの小水遮断板を便座の内側縁部に沿って予め定められた範囲に亘り延在するように設けたので、便器本体の前端において、この便器本体の載置用縁部と便座との間に隙間が生じていても、この隙間は小水遮断板により開口の内側から遮蔽されることになり、その結果、男性等が便器を座式として使用する時に小水を排泄してもこれが小水遮断板により遮断され、かつ小水遮断板を伝って便器本体内に落下するから、排泄される小水が前記隙間から便器本体外へ流出されるのを未然に防止することができる。
【発明を実施するための最良の形態】
【０００８】
（実施の形態１）
次に、本発明にかかる洋式便器の実施の形態について図面を参照して説明する。なお、本発明の洋式便器は、以下に説明する実施の形態に限定されるものではない。
【０００９】
図１は本実施の形態における洋式便器の全体の構成を示す斜視図、図２は本実施の形態における洋式便器の縦断側端面図、図３は本実施の形態における便座と小水遮断板との接合構造の一例を示す説明図である。
【００１０】
この実施の形態における洋式便器１０は、図１及び図２に示すように、陶製の便器本体１１、ＡＢＳ等の硬質樹脂材から成形された便座１２及び蓋１３を備える。
便器本体１１は、図１及び図２に示すように、上方に向け開放する楕円形の開口１１１と、この開口１１１を囲むように形成された一定幅の載置用縁部１１２、及び便器本体１１の内部と排出口１１３との間に設けられた臭気封止用のウオータ式トラップ部１１４とを有している。
【００１１】
便座１２は、便器本体１１の載置用縁部１１２の上面に載置され、用便を足す使用者のお尻が載せられるもので、図１及び図２に示すように、載置用縁部１１２の平面形状に相似な枠状を呈しており、この便座１２の基部１２１は、便器本体１１の後端部１１ａの上面箇所に設けた支持部１１５に枢支ピン１２２によって上下方向に揺動可能に支持され、そして、載置用縁部１１２の上面と対向する便座１２の下面には、弾性樹脂材からなる複数の凸部１２３が便座１２の長手方向に予め決められた間隔をおいて設けられている。
【００１２】
上記便座本体１１の前端１１ｂに対応する便座１２の揺動端部１２ａの内側縁部１２ｂには、図１及び図２に示すように、この内側縁部１２ｂから便器本体１１の開口１１１内に臨む長さの小水遮断板１４が内側縁部１２ｂに沿って予め定められた範囲、例えば小水が排泄される時の水平方向の許容角度θに対応して、該許容角度θ内の全域に亘り延在するように設けられている。この場合の小水遮断板１４の開口１１１内に臨む長さＬ１は、図２に示すように、載置用縁部１１２と便座１２の下面との間に形成される隙間１５の寸法Ｌ２より大きい寸法を有する。例えば、小水遮断板１４の長さＬ１は隙間１５の寸法Ｌ２の２倍強程度に設定されている。
【００１３】
また、上記小水遮断板１４は、便座１２の内側縁部１２ｂに２色射出成形法により一体に形成され、その成形材料にはエラストマーその他の可撓性樹脂材が使用される。また、小水遮断板１４と内側縁部１２ｂとの互いの接合部を、図３に示すように、互いに噛み合う凹凸形状１６に形成し、この両者を２色射出成形法又は接着剤などを用いて接合したもの、或いは図４に示すように、小水遮断板１４と内側縁部１２ｂとの互いの接合面をストレートな平面形状に形成し、この両者を２色射出成形法又は接着剤などを用いて接合するようにしても良いことは勿論である。
【００１４】
蓋１３は、便座１２が載置用縁部１１２の上面に載置された状態で、この便座１２を介して便器本体１１の開口１１１を閉鎖するもので、図１及び図２に示すように、載置用縁部１１２の平面形状に相似な形状を呈しており、この蓋１３の基部１３１は、便器本体１１の後端部１１ａの上面箇所に設けた支持部１１５に枢支ピン１３２によって上下方向に開閉可能に支持されている。
【００１５】
このような本実施の形態に示す洋式便器１０によれば、便座１２の揺動端部１２ａの内側縁部１２ｂに、この内側縁部１２ｂから便器本体１１の開口１１１内に臨む長さＬ１の小水遮断板１４を内側縁部１２ｂに沿って予め定められた範囲に亘り延在するように設けたので、便器本体１１の前端１１ｂにおいて、この便器本体１１の載置用縁部１１２と便座１２との間に隙間１５が生じていても、この隙間１５は小水遮断板１４により便器本体開口１１１の内側から遮蔽されることになり、その結果、男性等が便器を座式として使用する時に小水を排泄してもこれが小水遮断板１４によって遮断され、かつ小水遮断板１４を伝って便器本体１１内に流下するから、排泄される小水が隙間１５から便器本体１１外へ流出されるのを未然に防止することができる。
【００１６】
また、本実施の形態に示す洋式便器１０によれば、小水遮断板１４の長さＬ１は隙間１５の寸法Ｌ２の２倍強程度に設定されているため、便座１２の載置用縁部１１２上への設置操作及び便座１２のａはね上げ操作に邪魔になるようなことがなく、しかも、小水遮断板１４が便器本体１１内の溜り水中に浸漬されることがないので、この溜り水に溶け出した便または小水を含む混合汚物が小水遮断板１４に付着することがなく、小水遮断板１４の掃除も容易になるという効果がある。
【００１７】
また、本実施に形態における小水遮断板１４は可撓性樹脂材から成形されているため、この小水遮断板１４に手などが接触した時の衝撃を吸収できる。
また、小水遮断板１４を２色射出成形法により便座１２の内側縁部１２ｂに一体に形成することにより、便座１２への小水遮断板１４の装着が確実で低コスト化できるほか、掃除のし易い便座を提供できる。
さらにまた、本実施に形態によれば、小水遮断板１４と内側縁部１２ｂとの互いの接合部を互いに噛み合う凹凸形状１６に形成して、２色射出成形法により小水遮断板１４を便座１２に一体に接合することにより、便座１２への小水遮断板１４の接合を強固にできるという効果がある。
【００１８】
なお、本発明は、特許請求の範囲に記載された洋式便器の要旨を逸脱しない範囲において、具体的な構成、機能、作用効果において、他の種々の形態によっても実施することができる。
【図面の簡単な説明】
【００１９】
【図１】本発明の実施の形態における洋式便器の全体の構成を示す斜視図である。
【図２】本発明の実施の形態における洋式便器の縦断側端面図である。
【図３】本発明の実施の形態における便座と小水遮断板との接合構造の一例を示す説明図である。
【図４】本発明の実施の形態における便座と小水遮断板との接合構造の他の例を示す説明図である。
【符号の説明】
【００２０】
１０      洋式便器
１１      便器本体
１１ａ    後端部
１１ｂ    先端
１１１    開口
１１２    載置用縁部
１２      便座
１２ａ    揺動端部
１２ｂ    内側縁部
１２１    基部
１２２    枢支ピン
１３      蓋
１３１    基部
１３２    枢支ピン
１４      小水遮断板
１５      隙間
１６      凹凸形状
【図１】
2008161298.tif 000003
【図２】
2008161298.tif 000004
【図３】
2008161298.tif 000005
【図４】
2008161298.tif 000006